(57)【要約】【課題】画像の管理を行う上での利便性が高い画像表示装置を提供する。【解決手段】参照用の顔を表す参照画像を記憶しておく記憶部と、人物画像上に参照画像の人物と同一人物が現れているかを判定する画像判定部と、複数の人物画像を同一人物が現れている画像群に分類する画像分類部と、画像群ごとに、その画像群に対応する人物の顔が現れているサムネイル画像を生成するサムネイル画像生成部と、サムネイル画像生成部で生成された画像群ごとのサムネイル画像の一覧からなるインデックス画像を表示するインデックス画像表示部と、入力された人物画像上にいずれの参照画像とも一致しない新たな人物が現れていることが判定された場合に、その人物画像上のその人物の顔を切り出して新たな参照画像として記憶部に記憶させ、さらにその人物画像をその人物が現れている画像群に含まれる人物画像として画像分類部に分類させる参照画像追加部とを備える。【選択図】        図５
2006146591.tif 000002
【特許請求の範囲】
【請求項１】
データ上の画像を整理して表示画面上に可視化された画像を表示する画像表示装置において、
参照用の顔を表す参照画像を記憶しておく記憶部と、
人物画像の入力を受け入力された人物画像上に現れている顔と参照画像とを比較して該人物画像上に該参照画像の人物と同一人物が現れているか否かを判定する画像判定部と、
前記画像判定部による判定結果に基づいて、複数の人物画像を、同一人物が現れている画像群に、１つの人物画像が複数の画像群に重複して分類されることを許容して分類する画像分類部と、
前記画像分類部で分類された画像群ごとに、該画像群に対応する人物の顔が現れているサムネイル画像を生成するサムネイル画像生成部と、
前記サムネイル画像生成部で生成された、前記画像群ごとのサムネイル画像の一覧からなるインデックス画像を、前記表示画面上に表示するインデックス画像表示部と、
前記画像判定部で、入力された人物画像上にいずれの参照画像とも一致しない新たな人物が現れていることが判定された場合に、該新たな人物画像上の該人物の顔を切り出し新たな参照画像として前記記憶部に記憶させ、さらに該人物画像を該新たな人物が現れている画像群に含まれる人物画像として前記画像分類部に分類させる参照画像追加部とを備えたことを特徴とする画像表示装置。
【請求項２】
前記インデックス画像表示部は、画像枚数の多い画像群の順にサムネイル画像を並べたインデックス画像を表示するものであることを特徴とする請求項１記載の画像表示装置。
【請求項３】
前記表示画面上に表示されているインデックス画像のうちの任意のサムネイル画像を指定するサムネイル画像指定部と、
前記表示画面上に、前記サムネイル画像指定部で指定されたサムネイル画像に対応する画像群のうちの少なくとも一枚の画像を表示する原画像表示部とを備えたことを特徴とする請求項１記載の画像表示装置。
【請求項４】
前記画像分類部により分類された各画像群が記録された各フォルダを作成するフォルダ作成部を備えたことを特徴とする請求項１記載の画像表示装置。
【請求項５】
前記サムネイル画像指定部により指定されたサムネイル画像に対応する画像群を外部に向けて出力する画像出力部を備えたことを特徴とする請求項３記載の画像表示装置。
【請求項６】
前記画像分類部は、新たな人物画像の入力を受け参照画像との比較により該新たな人物画像上に現れている人物の顔を認識して、該人物画像を、認識した人物に対応する画像群に分類するものであることを特徴とする請求項１記載の画像表示装置。
【発明の詳細な説明】
【技術分野】
【０００１】
本発明は、画像を整理して表示画面上に可視化された画像を表示する画像表示装置に関する。
【背景技術】
【０００２】
近年、デジタルカメラを中心とする撮影装置やその周辺技術の発展に伴い、撮影装置を用いて得られる画像データの処理を行うための装置やプログラムに関する技術も大きく発展してきている。画像を電子データ化された画像データとして保管しておくと、場所を取らず管理が容易になるが、こうした画像データもその数が増すにつれ、画像データの分類・整理を行って管理する必要が生じる。
【０００３】
このような画像データの分類・整理を行う管理の方法として、人物写真からなる画像が入力されると、あらかじめ用意された参照用の顔の画像と比較することによって、入力された人物写真の画像の中から参照用の顔に対応した人物が現れている画像を抽出し、人物ごとに入力された人物写真の画像を分類・管理する画像管理装置が提案されている（例えば、特許文献１参照）。
【特許文献１】特開２００２−１６９８０９号公報
【発明の開示】
【発明が解決しようとする課題】
【０００４】
しかしながら、特許文献１記載の画像管理装置では、入力された人物写真の画像の中に現れる顔が、あらかじめ用意された参照用の顔の画像の中に該当する顔が存在していなかった場合には、手動で参照用の顔としてその顔を参照用の顔の画像の中に追加する必要がある。特許文献１記載の画像管理装置で想定しているような家族の写真など画像の枚数が比較的少ない場合には、手動で参照用の顔としてその顔を追加しても大した手間ではないが、処理すべき画像の数が数百枚といったオーダーであって、そのうちのかなりの数の画像ではその画像中に現れる人物の顔があらかじめ用意された参照用の画像には存在しない状況では、手動で参照用の顔としてその顔の画像を追加する作業は非常に面倒なものになり、画像の管理を行う上での利便性が悪い。
【０００５】
本発明は、上記事情に鑑み、画像の管理を行う上での利便性が高い画像表示装置を提供することを目的とする。
【課題を解決するための手段】
【０００６】
上記目的を達成するための本発明の画像表示装置は、
データ上の画像を整理して表示画面上に可視化された画像を表示する画像表示装置において、
参照用の顔を表す参照画像を記憶しておく記憶部と、
人物画像の入力を受け入力された人物画像上に現れている顔と参照画像とを比較して該人物画像上に該参照画像の人物と同一人物が現れているか否かを判定する画像判定部と、
上記画像判定部による判定結果に基づいて、複数の人物画像を、同一人物が現れている画像群に、１つの人物画像が複数の画像群に重複して分類されることを許容して分類する画像分類部と、
上記画像分類部で分類された画像群ごとに、該画像群に対応する人物の顔が現れているサムネイル画像を生成するサムネイル画像生成部と、
上記サムネイル画像生成部で生成された、上記画像群ごとのサムネイル画像の一覧からなるインデックス画像を、上記表示画面上に表示するインデックス画像表示部と、
上記画像判定部で、入力された人物画像上にいずれの参照画像とも一致しない新たな人物が現れていることが判定された場合に、該新たな人物画像上の該人物の顔を切り出し新たな参照画像として上記記憶部に記憶させ、さらに該人物画像を該新たな人物が現れている画像群に含まれる人物画像として上記画像分類部に分類させる参照画像追加部とを備えたことを特徴とする。
【０００７】
本発明の画像表示装置は、いずれの参照画像とも一致しない新たな人物が現れている人物画像が入力された場合は、その人物画像からその人物の顔を切り出して新たな参照画像とし、その人物画像をその人物に対応した画像群に分類するため、特許文献１記載の画像管理装置のように、いずれの参照画像とも一致しない新たな人物が現れている人物画像が入力されるたびに手動でその人物の顔を新たな参照画像として追加してさらにその人物画像をその人物に対応した画像群に分類する作業を必要としない。このため、処理すべき画像の数が大変多く、しかもそのうちのかなりの数の画像ではその画像中に現れる人物の顔があらかじめ用意された参照用の画像には存在しないような状況であっても、効率良く分類作業を行うことができ、画像の管理を行う上での利便性が高い。
【０００８】
また、本発明の画像表示装置では、上記インデックス画像表示部は、画像枚数の多い画像群の順にサムネイル画像を並べたインデックス画像を表示するものであってもよい。
【０００９】
画像枚数の多い画像群ほど利用される可能性が高く、また顔のサムネイル画像として表示すると画像群を識別するのに便利であるため、このような画像枚数の多い画像群の順にサムネイル画像を並べる表示方法を用いることで、本実施形態の画像表示装置の利便性を高めることができる。
【００１０】
また、本発明の画像表示装置は、上記表示画面上に表示されているインデックス画像のうちの任意のサムネイル画像を指定するサムネイル画像指定部と、
上記表示画面上に、上記サムネイル画像指定部で指定されたサムネイル画像に対応する画像群のうちの少なくとも一枚の画像を表示する原画像表示部とを備えたものであってもよい。
【００１１】
このような機構を備えることにより、ユーザは、特定の人物が現れている画像だけを見たい場合に、その特定の人物に対応したサムネイル画像を選択するだけでそのような画像を表示させることができる。
【００１２】
また、本発明の画像表示装置は、上記画像分類部により分類された各画像群が記録された各フォルダを作成するフォルダ作成部を備えたものであってもよい。
【００１３】
このような機構を用いることで、特定の人物が現れている画像だけを他の画像と区別して保存することが可能になる。
【００１４】
また、本発明の画像表示装置は、上記サムネイル画像指定部により指定されたサムネイル画像に対応する画像群を外部に向けて出力する画像出力部を備えたものであってもよい。
【００１５】
このような機構を備えることにより、ユーザは、特定の人物が現れている画像だけを印刷したい場合に、特定の人物が現れている画像を１枚１枚選び出して印刷する必要がなく、その特定の人物に対応したサムネイル画像を選択するだけでそのような画像をまとめて印刷できる。
【００１６】
また、本発明の画像表示装置は、上記画像分類部は、新たな人物画像の入力を受け参照画像との比較により該新たな人物画像上に現れている人物の顔を認識して、該人物画像を、認識した人物に対応する画像群に分類するものであってもよい。
【００１７】
このような機構を用いることにより、ユーザは、いったん分類した人物画像に、さらに新たな人物画像が加えて分類し直したい場合でも、この新たな人物画像を入力するだけで自動的にこのような再分類を行うことができる。
【発明の効果】
【００１８】
本発明の画像表示装置によれば、画像の管理を便利に行うことができる。
【発明を実施するための最良の形態】
【００１９】
以下、本発明の画像表示装置の一実施形態を説明する。本実施形態の画像表示装置は、画像を表示画面上に表示するコンピュータシステムである。
【００２０】
図１は、本発明の画像表示装置の一実施形態として動作するコンピュータシステムの外観斜視図である。
【００２１】
このコンピュータシステム１００は、後述するＣＰＵ、ＲＡＭメモリ、ハードディスク等を内蔵した本体部１１０、本体部１１０からの指示により表示画面１２１に画面表示を行なう画像表示装置１２０、このコンピュータシステム１００内にユーザの指示や文字情報を入力するためのキーボード１３０、表示画面１２１上の任意の位置を指定することによりその位置に応じた指示を入力するマウス１４０を備えている。
【００２２】
本体部１１０は、さらにフレキシブルディスク（以下ＦＤと略す）が装填されるＦＤ装填口１１１、ＣＤ−ＲＯＭが装填されるＣＤ−ＲＯＭ装填口１１２を有しており、その内部には、装填されたＦＤやＣＤ−ＲＯＭをドライブする、後述するＦＤドライブ、ＣＤ−ＲＯＭドライブも内蔵されている。
【００２３】
この図１に外観を示すコンピュータシステムシステムにおいて、本発明の画像表示装置の一実施形態としての特徴は、コンピュータシステム１００の内部で実行される処理内容にあり、以下、その処理を行うコンピュータシステム１００内部のハードウェアの構成について説明する。
【００２４】
図２は、図１に外観斜視図を示したコンピュータシステムのハードウェア構成図である。
【００２５】
本体部１１０の内部には、図２に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、ＦＤ２１４０が装填され、その装填されたＦＤ２１４０にアクセスするＦＤドライブ２１４、ＣＤ−ＲＯＭ２１５０が装填され、その装填されたＣＤ−ＲＯＭ２１５０にアクセスするＣＤ−ＲＯＭドライブ２１５、カラースキャナなどの不図示の外部機器と接続され、この外部機器から画像データを受け取る入力インタフェース２１６、カラープリンタ２１７０と接続され、このカラープリンタ２１７０に画像データを送る出力インタフェース２１７が内蔵されており、これらの各種要素と、さらに、図１にも示す画像表示装置１２０、キーボード１３０、マウス１４０は、バス１２００を介して相互に接続されている。
【００２６】
本実施形態のコンピュータシステム１００では、コンピュータシステム１００のユーザは、処理対象となる人物画像を、入力インタフェース２１６から入力してハードディスク装置２１３に保存することができ、また人物画像が記録されているＦＤ２１４０やＣＤ−ＲＯＭ２１５０から、それぞれＦＤドライブ２１４、ＣＤ−ＲＯＭ２１５を介してハードディスク装置２１３に保存することもできる。本実施形態のコンピュータシステム１００では、処理対象となる人物画像は、このようにしてハードディスク装置２１３に保存された人物画像であってもよいし、あるいは、ＦＤドライブ２１４、ＣＤ−ＲＯＭ２１５０にそれぞれ装填されたＦＤ２１４０やＣＤ−ＲＯＭ２１５０に保存された人物画像であってもよい。
【００２７】
本実施形態のコンピュータシステム１００は、このように保存されている人物画像に対して、ハードディスク装置２１３に記録されている人物画像処理プログラムに基づいて処理を施すことにより、本発明の画像表示装置の一実施形態として動作する。以下では、このような人物画像に対して行われる処理の流れについて説明する。
【００２８】
まず、コンピュータシステム１００のユーザがこれらの人物画像を処理するため、キーボード１３０やマウス１４０を操作すると、その操作されたという情報がバス１２００を介してＣＰＵ２１１に伝えられる。そして、ハードディスク装置２１３から読み出されて主メモリ２１２内部で展開された人物画像処理プログラムに基づき、ＣＰＵ２１１が、これらの人物画像に対して、後述する分類や抽出などの処理を実行するために必要な処理部をコンピュータシステム１００上に構築させ、これらの処理部によって人物画像の処理が施される。
【００２９】
なお、このような人物画像処理プログラムが記憶される記憶媒体としては、本実施形態では、ハードディスク装置２１３であるが、このようなハードディスク装置のみならず、ＣＤ−ＲＯＭ、ＦＤ、ＤＶＤやＭＯ等といった種々の記憶媒体が採用されうる。
【００３０】
次に人物画像の処理を施す処理部について説明する。
【００３１】
この人物画像処理プログラムが、図１および図２に示すコンピュータシステム１００内で実行されると、参照用の顔を表す参照画像が記憶される記録部、参照画像の人物と入力される人物画像中の人物とが同一人物であるか否かを判定する画像判定部、人物画像を分類する画像分類部、人物画像中の人物に該当する人物が参照画像の中にない場合にその人物の顔を参照画像として加える参照画像追加部、人物の顔のサムネイル画像を生成するサムネイル画像生成部、そのサムネイル画像の一覧を表示するインデックス画像表示部、その一覧から特定のサムネイル画像を指定するサムネイル画像指定部、指定されたサムネイル画像に対応した原画像を表示する原画像表示部、抽出された画像群を記録するフォルダを作成するフォルダ作成部、および抽出された画像群を図２に示すカラープリンタ２１７０に向けて出力する画像出力部の合計１０個の処理部がコンピュータシステム１００上に構築される。そして、これらの処理部を機能させることによって人物画像の処理が行われる。以下では、これらの処理部の機能について図３および図４を用いて説明する。
【００３２】
図３は、本実施形態の画像表示装置であるコンピュータシステムの機能ブロック図の一部である。
【００３３】
以下では、図３を用いて人物画像が入力されてから、人物画像の登場人物ごとのサムネイル画像によって分類表示されるまでの過程において、前述の各処理部が果たす機能について説明する。
【００３４】
まず、人物画像が入力されると、画像判定部１が、この人物画像中に現れる人物の顔と記憶部２に記録されている参照画像の人物の顔とを比較して同一人物か否かを判定する。
同一人物と判定される顔が参照画像の中にあれば、画像分類部が参照画像ごとの画像群に人物画像を分類し、同一人物と判定される顔が参照画像の中になければ、参照画像追加部４が、記憶部２にその人物画像中に現れる人物の顔を切り出して新たな参照画像として追加させ、さらに画像分類部３にその人物画像をその参照画像に対応した画像群に分類させる。このような作業がすべての入力される人物画像について行われ、入力される人物画像すべてが参照画像ごとの画像群に分類される。そしてサムネイル画像生成部５が、このようにして分類された画像群を表すアイコンとして画像群に対応した人物の顔のサムネイル画像を生成する。続いてこのように生成された各画像群ごとのサムネイル画像の一覧を、インデックス画像表示部３が、図１に示す表示画面１２１上に表示する。この際、入力された人物画像の中で登場回数の多い人物の顔のサムネイル画像から順番に表示される。以上説明した、画像判定部１、記憶部２、画像分類部３、参照画像追加部４、サムネイル画像生成部５、およびインデックス画像表示部６によって行われる処理によって、入力された人物画像すべてが、これらの人物画像に表れる登場人物の顔のサムネイル画像のアイコンによって分類され、表示される。
【００３５】
次に、人物画像が入力されて人物画像の登場人物ごとのサムネイル画像によって分類表示された後に行われる処理のために、サムネイル画像指定部、原画像表示部、フォルダ作成部、および画像出力部の各部が果たす機能について、具体的な例を用いて説明する。
【００３６】
図４は、本実施形態の画像表示装置であるコンピュータシステムの機能ブロック図を、
具体的な例を用いて表した図である。
【００３７】
図４（１）は、入力される人物画像の具体例である。
【００３８】
図４（１）では、４人の人物が、４枚の人物画像のいずれかに登場しており、これら４人の人物の顔が顔Ａ、顔Ｂ，顔Ｃ，および顔Ｄとして表されている。
【００３９】
図４（２）は、図４（１）で表される人物画像の具体例に対して、図３において説明した処理が施されて表示される、登場人物の顔のサムネイル画像からなるアイコンの一覧を表す図である。
【００４０】
図４（２）で示されているように、図４（１）で表される人物画像の具体例の中で登場回数の多い順に、顔Ａ、顔Ｂ，顔Ｃ，および顔Ｄとして登場人物の顔のサムネイル画像からなるアイコンの一覧が表示されている。
【００４１】
ここで、ユーザが、顔Ａのサムネイル画像を図１および図２に示すマウス１４０を用いて左クリックすると、その操作されたという情報を受けてサムネイル画像指定部７が、このアイコンの一覧の中から顔Ａによって表されるサムネイル画像を指定する。このサムネイル画像指定部７によるサムネイル画像の指定を合図として原画像表示部８が、図１に示す４枚の人物画像のうち、顔Ａが現れている人物画像のみを図１に示す表示画面１２１上に表示する。
【００４２】
次に顔Ａが現れている３枚の人物画像が記録されるフォルダの作成と、これらの人物画像の印刷について説明する。
【００４３】
図４（２ａ）は、図１に示す４枚の人物画像のうち、顔Ａが現れている人物画像のみが表示されている様子を表す図である。
【００４４】
図４（１）で表されている人物画像４枚のうち、サムネイル画像指定部７および原画像表示部８によって行われる処理によって顔Ａが現れている３枚の人物画像のみが表示画面１２１上に表示される。
【００４５】
図４（２ｂ）は、顔Ａが現れている人物画像のみが表示されている人物画像が記録されている顔Ａのサムネイル画像をアイコンとするフォルダを表す図である。
【００４６】
図４（２）において、ユーザが、顔Ａのサムネイル画像を図１および図２に示すマウス１４０を用いて右クリックすると、「フォルダ作成」「印刷」の２つが選択できる選択メニューが表示される。この中から「フォルダ作成」を選択すると、この選択を受けてフォルダ作成部９が、図４（１）で表されている人物画像４枚のうち、図４（２ｂ）において示すように、顔Ａが現れている３枚の人物画像が記録されたフォルダを、顔Ａのサムネイル画像をフォルダのアイコンとして作成する。
【００４７】
また、この選択メニューの中から「印刷」を選択すると、画像出力部１０が、顔Ａが現れている３枚の人物画像のみを図２に示すカラープリンタ２１７０に向けて出力してこれら３枚の人物画像の印刷が行われる。
【００４８】
さらに本実施形態のコンピュータシステム１００では、図４（１）で表されている人物画像４枚に加えて新たな人物画像が入力されるとこの新たな画像に登場する人物を考慮して自動的に分類し直す機能を持つ。
【００４９】
例えば図４に示す顔Ｃおよび顔Ｅが現れる新たな画像３０が、図４（１）で表されている人物画像４枚に加えて入力されると、これら計５枚の人物画像について、図３および図４（２）において説明した処理が自動的に行われ、登場回数の順に登場人物の顔のサムネイル画像からなるアイコンの一覧が表示される。
【００５０】
続いて、本実施形態のコンピュータシステム１００によって実行される処理の流れを図５および図６のフローチャートを用いて説明する。
【００５１】
図５は、人物画像が入力されてから、顔によるアイコンで分類表示されるまでの過程をフローチャートを用いて表した図である。
【００５２】
まず、ステップＳ１０１において、１枚の人物画像が入力されると、図３に示す画像判定部１によって、この画像中に現れる顔と、記憶部２に記録されている参照画像の人物の顔との比較が行われ、この画像中に現れる顔の人物と参照画像のいずれかの人物とが同一人物であるか否かが判定される（ステップＳ１０２）。そしてこの比較の結果、この画像中に現れる顔の人物が、参照画像のいずれかの人物と同一人物であると判定された場合には、ステップＳ１０３においてＹｅｓが選択され、画像分類部３によって、この人物画像がその参照画像に対応した画像群に分類される（ステップＳ１０５）。この画像中に現れる顔の人物と同一人物であると判定される人物が参照画像の中に存在しなかった場合は、ステップＳ１０３においてＮｏが選択され、参照画像追加部４が、記憶部２にその人物画像中に現れる人物の顔を切り出して新たな参照画像として追加させ、さらに画像分類部３にその人物画像をその参照画像に対応した画像群に属する人物画像として分類させる。この人物画像が処理対象となる人物画像の中の最後の人物画像でなければ、ステップＳ１０６においてＮｏが選択されて未分類の人物画像の入力が行われ（ステップＳ１０７）、ステップＳ２に戻り、ステップＳ２〜ステップＳ５までの作業がこの未分類の人物画像に対して行われる。このような分類が処理対象となるすべての人物画像に対して行われると、ステップＳ１０６でＹｅｓが選択され、サムネイル画像生成部５が、各画像群ごとに各画像群に対応した人物の顔のサムネイル画像を生成する（ステップＳ１０８）。そしてインデックス画像表示部３が、このように生成された各画像群ごとのサムネイル画像の一覧を図１に示す表示画面１２１上に、登場回数の多い人物の顔のサムネイル画像から順番に表示する。画像枚数の多い画像群ほど利用される可能性が高く、また顔のサムネイル画像として表示すると画像群を識別するのに便利であるため、このような表示方法を用いることで、本実施形態の画像表示装置であるコンピュータシステム１００の利便性を高めることができる。
【００５３】
以上説明したように、本発明の画像表示装置であるコンピュータシステム１００では、いずれの参照画像とも一致しない新たな人物が現れている人物画像が入力された場合は、その人物画像から人物の顔を切り出して新たな参照画像とし、その人物画像をその人物に対応した画像群に分類するため、特許文献１記載の画像管理装置のように、いずれの参照画像とも一致しない新たな人物が現れている人物画像があるたびに手動でその人物の顔を新たな参照画像として追加し、さらにその人物画像をその人物に対応した画像群に分類する作業を必要としない。このため、処理すべき画像の数が大変多く、しかもそのうちのかなりの数の画像ではその画像中に現れる人物の顔があらかじめ用意された参照用の画像には存在しないような状況であっても、効率良く分類作業を行うことができ、画像の管理を行う上での利便性が高い。
【００５４】
次に、人物画像が入力されて人物画像の登場人物ごとのサムネイル画像によって分類表示された後に行われる処理の流れをフローチャートを用いて説明する。
【００５５】
図６は、顔によるアイコンで分類表示された後の過程を、本実施形態の画像表示装置であるコンピュータシステムにおいて行われる全体の処理の過程の中でフローチャートを用いて表した図である。
【００５６】
まず、人物画像が入力されると、図５において説明した処理により登場人物ごとの人物画像の分類が行われ、登場回数の順にそれぞれの画像群に対応した登場人物の顔のサムネイル画像からなるアイコンの一覧が表示される（ステップＳ２０１）。そしてこれらのサムネイル画像からなるアイコンの一覧の中から特定の人物の顔のサムネイル画像がマウス１４０で左クリックされることにより、その特定の人物の画像を表示するようにという指示が与えられると、ステップＳ２０２においてＹｅｓが選択され、図４（２ａ）を用いて説明したように、図４に示すサムネイル画像指定部７および原画像表示部８によって、その特定の人物が登場している人物画像のみが抽出されて表示される（ステップＳ２０３）。サムネイル画像からなるアイコンの一覧の中から特定の人物の画像を表示するようにという指示がない場合には、ステップＳ２０４に移行し、特定の人物が登場する画像だけを記録したフォルダを作成せよという指示が与えられているかどうかが判定される。そのような指示が与えられている場合は、図４において説明したように、フォルダ作成部９が、その特定の人物の顔のサムネイル画像をアイコンとするフォルダを作成し、その中にその特定の人物が登場する画像を記録する（ステップＳ２０５）。このような機構を用いることで、特定の人物が現れている画像だけを他の画像と区別して保存することが可能になる。そのような指示が与えられていない場合は、ステップＳ２０６に移行し、特定の人物が登場する画像を印刷せよという指示が与えられているかどうかが判定される。そのような指示が与えられていれば、図４において説明したように、図４に示す画像出力部１０が、その特定の人物が登場する画像を図２に示すカラープリンタ２１７０に向けて出力する（ステップＳ２０７）。このような機構を備えることにより、ユーザは、特定の人物が現れている画像だけを印刷したい場合に、特定の人物が現れている画像を１枚１枚選び出して印刷する必要がなく、その特定の人物に対応したサムネイル画像を選択するだけでそのような画像をまとめて印刷できる。特定の人物が登場する画像を印刷せよという指示が与えられていない場合は、ステップＳ２０８に移行し、新たな人物画像が入力されるかどうかが判定される。新たな人物画像が入力される場合は、もとの複数の人物画像にこの新たな人物画像を加えて（ステップＳ２０９）、ステップＳ２０１に戻り、図４において説明したように、この新たな画像に登場する人物を考慮して分類し直す作業が自動的に行われ、登場回数の順に登場人物の顔のサムネイル画像からなるアイコンの一覧が表示される。このような機構を用いることにより、ユーザは、いったん分類した人物画像に、さらに新たな人物画像を加えて分類し直したい場合でも、この新たな人物画像を入力するだけで自動的にこのような再分類を行うことができる。新たな人物画像が入力されていなければ、本実施形態のコンピュータシステム１００によって実行される処理が終了する。
【００５７】
以上が本発明の画像表示装置の一実施形態として動作するコンピュータシステム１００の説明である。
【００５８】
本実施形態では、本発明の画像表示装置の一実施形態としてコンピュータシステムを採用したが、本発明の画像表示装置は、画像を整理して表示画面に表示する装置であればよく、コンピュータシステムに限定されない。例えば、本発明の画像表示装置は、撮影画像を整理して表示画面に表示するデジタルカメラであって、撮影画像に対して本実施形態で説明した処理を施す機能を備えたものでもよい。
【図面の簡単な説明】
【００５９】
【図１】本発明の画像表示装置の一実施形態として動作するコンピュータシステムの外観斜視図である。
【図２】図１に外観斜視図を示したコンピュータシステムのハードウェア構成図である。
【図３】本実施形態の画像表示装置であるコンピュータシステムの機能ブロック図の一部である。
【図４】本実施形態の画像表示装置であるコンピュータシステムの機能ブロック図を、具体的な例を用いて表した図である。
【図５】本実施形態のコンピュータシステム１００によって実行される処理の流れを表すフローチャートである。
【図６】顔によるアイコンで分類表示された後の過程を、本実施形態の画像表示装置であるコンピュータシステムにおいて行われる全体の処理の過程の中でフローチャートを用いて表した図である。
【符号の説明】
【００６０】
１  画像判定部
２  記憶部
３  画像分類部
４  参照画像追加部
５  サムネイル画像生成部
６  インデックス画像表示部
７  サムネイル画像指定部
８  原画像表示部
９  フォルダ作成部
１０  画像出力部
３０  新たな画像
１００  コンピュータシステム
１１０  本体部
１１１  ＦＤ装填口
１１２  ＣＤ−ＲＯＭ装填口
１２０  画像表示装置
１２１  表示画面
１３０  キーボード
１４０  マウス
１２００  バス
２１１  ＣＰＵ
２１２  主メモリ
２１３  ハードディスク装置
２１４  ＦＤドライブ
２１４０  ＦＤ
２１５  ＣＤ−ＲＯＭドライブ
２１５０  ＣＤ−ＲＯＭ
２１６  入力インタフェース
２１７  出力インタフェース
２１７０  カラープリンタ
【図１】
2006146591.tif 000003
【図２】
2006146591.tif 000004
【図３】
2006146591.tif 000005
【図４】
2006146591.tif 000006
【図５】
2006146591.tif 000007
【図６】
2006146591.tif 000008